(57)【特許請求の範囲】
【請求項１】
既存建物の解体と新規建物の建設を同時に行う建築工法であり、
既存建物を下層階から上層階に向けて順次建て替える建て替え方法の手順として、
（１）既存建物の特定の２階層（ｎ階とｎ＋１階）においてジャッキ付き仮設支柱で支持し、
（２）ｎ階とｎ＋１階の柱を解体し、
（３）既存のｎ＋１階の床を所定レベルにまでジャッキダウンし、
（４）ｎ階の柱の構築並びにｎ＋１階の新たな床・梁を既存のｎ＋１階の床の上に構築し、
（５）ｎ＋１階の新たな床上にｎ＋２階を支える仮設支柱を設置し、
（６）ｎ＋１階の既存床を解体、ｎ階のジャッキ付き仮設支柱を撤去する。
（７）既存のｎ＋２階においてジャッキ付き仮設支柱で支持し、
（８）ｎ＋１階の床上にジャッキ付き仮設支柱を設置して仮設支柱を撤去 、ｎ＋２階の柱を解体し、
以後、（３）〜（８）の工程を繰り返すことを特徴とする建築工法。
【請求項２】
既存建物の解体と新規建物の建設を同時に行う建築工法であり、
既存建物を下層階から上層階に向けて順次建て替える建て替え方法の手順として、
（１）既存建物の特定の２階層（ｎ階とｎ＋１階）において仮設支柱で支持し、
（２）ｎ階とｎ＋１階の柱を解体し、
（３）ｎ＋１階の新たな床・梁を既存のｎ＋１階の床の上に構築し、
（４）ｎ＋１階の新たな床・梁を支える仮設支柱をｎ階上に設置し、
（５）既存のｎ＋１階の床を解体し、
（６）新設のｎ＋１階の床上にジャッキ付き仮設支柱を設置し、既存のｎ＋１階の床で支持された仮設支柱を撤去し、
（７）既存のｎ＋２階において仮設支柱で支持し、
（８）新設のｎ＋１階の床を所定レベルにまでジャッキダウンし、
（９）ｎ階の柱を構築し、
（１０）ｎ階の仮設支柱を撤去する。
以後、（３）〜（１０）の工程を繰り返すことを特徴とする建築工法。
【請求項３】
ｎ＋１階の新たな床・梁を既存のｎ＋１階の床の上に構築するのに、既存のｎ＋１階の床を構台として行う請求項１または請求項２記載の建築工法。
【発明の詳細な説明】
【技術分野】
【０００１】
本発明は、既存建物を下層階から上層階に向けて順次建て替える建て替え方法において、既存建物の解体と新規建物の建設を同時に行う建築工法に関するものである。
【背景技術】
【０００２】
従来、既存の建築物を新築の建物に建て替える場合、既存建築を解体した後に新築建物の施工を行う手順になっている。
【０００３】
既存建物を解体せず、移転も必要とせず、かつそれを使用しながら、建物を増改築できる建物の増改築方法としては、下記特許文献のものが提案されている。
【特許文献１】特開平６−３２３００１号公報
【０００４】
この特許文献１は、既存建物の建設されていない隣接空間に、新設される建物のコア部分を構築し、該コア部分から前記既存建物の頂部よりも上方部に、新設される建物の人工地盤を構築し、その後この人工地盤上に新設される建物を順次構築していき、しかる後に既存建物の改修を行う建物の増改築方法であり、既存建物の頂部よりも上方部に人工地盤を設け、その上に増築部分を構築し、その部分に既存建物から執務者の移動を行った後既存建物の改修を行うので、既存建物の使用を継続しながら増改築が可能になる。
【０００５】
また、現存建物を稼働させつつ屋上部を増設する工法としては、下記特許文献のものが提案されている。
【特許文献２】特開昭６１−１３０５６６号公報
【０００６】
この特許文献２は、現存建物に対し中庭あるいは周囲の空地、これ等の無い場合はテナント業者の移転で確保した建物の一部のスペースを利用して新築工事用の杭を施工し、次いで当該杭上にタワークレーンを設置し、フロアークライミングを行いながらこのコアー部を現存建物上方にまで突出して構築していき、当該突出部を基礎として現存建物上方にまで突出して構築していき、当該突出部を基盤として現存建物屋上部に新築部を構築するものである。
【０００７】
特許文献２によれば、現存建物の稼働を止めることなく、ビルの高層化建替え又は建増しが出来ることになる。
【０００８】
既存の建物を解体してその位置に新築建物を構築するときの構築方法で、とくに、既存の建物群を再開発し、またはより大型の建物に改築すると営の構築工法として下記特許文献ものが提案されている。
【特許文献３】特開平２−３０８５４号公報
【０００９】
この特許文献３は、既存の建物または建物群を解体してその位置により大型の建物を新築する工法において、既存建物を跨いでそれより階層の高い建物の主架構体を構築する工程、主架構の屋根梁に支持させて最上階を形成する工程、既存建物の最高位の施設を新築の最上階に移転させる工程、最高位の施設を解体する工程、最高位施設の解体部分のあとに、最上階に支持させて直下層の階を新築する工程、以後、新築部分への移転と、解体と、解体部分のあとの新築とを、上層から下層に向けて繰り返す工程を含むことを特徴とする多層階建物の改築工法である。
【００１０】
特許文献３によれば、既存の建物または建物群を解体してその位置に、より大型の建物を新築する工法であって、既存建物または建物群の外周位置に基礎を構築し、それらの基礎上に柱を建て、既存の施設の最高部よりも１階だけ高くして既存の施設を跨いで鉄骨造の主架設架穆を架設する。この建方に平行して、本設の階段、エレベータ等の昇降施設および電気や給排水等の設備用のシャフト等の工事を先行させておく。
【００１１】
そして上記主架構に屋根を架設し．この屋根梁に支持させて、既存建物の上方に最上階の床を構築し、外壁、および設備、仕上げ工事を行う。
【００１２】
これによって既存建物の最高位の施設またはそれ以外の部分を新築部分に移転させることができ、最高位の施設等を解体することができる。
【００１３】
ついで、最上階の床大梁に支持させて最高位施設等の解体部分のあとに前記新築最上階の直下層の階を1層以上新築する。
【００１４】
以後、新築部分への移転と、解体と、解体部分のあとの新築とを、移転量と新築量とを見あわせながら、上層から下層に向けて繰り返すことによって全施設を新築建物に移転させることができ、その間に、住居または企業の活動を一切停止することなく、新築工事が完了し、各撤去部分のただ一回の移転によって、全施設を新築建物内に収容することができる。
【００１５】
新築建物の規模が大きいときには、前記工事に平行してさらに上階に高層部分を構築することができ、同様に地下階の構築も改築または増設部分として構築することができる。
【発明の開示】
【発明が解決しようとする課題】
【００１６】
前記既存の建築物を新築の建物に建て替える場合、既存建築を解体した後に新築建物の施工を行う手順を行うと、その際の問題点としては、下記のようなものが挙げられる。
（１）解体工事を終了してから新築工事行うには長い工期が必要となる。
（２）解体工事、新築工事ともに仮設物を必要とするが、解体工事終了時に大半の仮設物を撤去し、新築時に改めて仮設物を設置することが一般的となっている。
（３）解体工事時には大量の搬出物が、新築工事時には大量の搬入物が発生する。
（４）既存建物で再利用可能な部材の多くが保管場所、運送コストの問題で廃棄処分とする方が経済的な場合が多い問題がある。
（５）新築工事では躯体の建方工事の際に不安定な状態での作業が多く安全上多くの配慮を必要とする。
【００１７】
前記特許文献１、２は、既存建物の使用を継続しながら改築が可能になるというものであり、既存建物の解体と新規建物の建設を同時に行う場合の前記問題に対処できるものではない。
【００１８】
また、特許文献３は既存建物を下層階から上層階に向けて順次建て替える建て替え方法の手順によるものではない。
【００１９】
本発明の目的は前記従来例の不都合を解消し、既存建物を下層階から上層階に向けて順次建て替える建て替え方法の手順として、解体・新築工事を同時施工することができ、その結果、工期短縮、コスト低減、運送量の削減、環境負荷の低減、廃棄物の削減、作業による安全性、及び作業の効率を向上させることが可能となる建築工法を提供することにある。
【課題を解決するための手段】
【００２０】
前記目的を達成するため請求項１記載の本発明は、  既存建物の解体と新規建物の建設を同時に行う建築工法であり、既存建物を下層階から上層階に向けて順次建て替える建て替え方法の手順として、
（１）既存建物の特定の２階層（ｎ階とｎ＋１階）においてジャッキ付き仮設支柱で支持し、
（２）ｎ階とｎ＋１階の柱を解体し、
（３）既存のｎ＋１階の床を所定レベルにまでジャッキダウンし、
（４）ｎ階の柱の構築並びにｎ＋１階の新たな床・梁を既存のｎ＋１階の床の上に構築し、
（５）ｎ＋１階の新たな床上にｎ＋２階を支える仮設支柱を設置し、
（６）ｎ＋１階の既存床を解体、ｎ階のジャッキ付き仮設支柱を撤去する。
（７）既存のｎ＋２階においてジャッキ付き仮設支柱で支持し、
（８）ｎ＋１階の床上にジャッキ付き仮設支柱を設置して仮設支柱を撤去 、ｎ＋２階の柱を解体し、
以後、（３）〜（８）の工程を繰り返すことを要旨とするものである。
【００２１】
請求項２記載の本発明は、既存建物の解体と新規建物の建設を同時に行う建築工法であり、既存建物を下層階から上層階に向けて順次建て替える建て替え方法の手順として、
（１）既存建物の特定の２階層（ｎ階とｎ＋１階）において仮設支柱で支持し、
（２）ｎ階とｎ＋１階の柱を解体し、
（３）ｎ＋１階の新たな床・梁を既存のｎ＋１階の床の上に構築し、
（４）ｎ＋１階の新たな床・梁を支えるジャッキ付き仮設支柱をｎ階上に設置し、
（５）既存のｎ＋１階の床を解体し、
（６）新設のｎ＋１階の床上にジャッキ付き仮設支柱を設置し、既存のｎ＋１階の床で支持された仮設支柱を撤去し、
（７）既存のｎ＋２階において仮設支柱で支持し、
（８）新設のｎ＋１階の床を所定レベルにまでジャッキダウンし、
（９）ｎ階の柱を構築し、
（１０）ｎ階の仮設支柱を撤去する。
以後、（３）〜（１０）の工程を繰り返すことを要旨とするものである。
【００２２】
請求項１および請求項２記載の本発明によれば、既存建物の特定の下層階で上部階を仮設支柱で支持しつつ既存の本設柱、梁、床、壁の解体と新規の構築を行い、順次他の階に移行して解体と構築を繰り返すので、工期短縮、コスト低減、運送量の削減、環境負荷の低減、廃棄物の削減、作業による安全性、及び作業の効率を向上させることが実現できるものである。
【００２３】
特に請求項１記載の発明は、既存床をジャッキダウンさせてから新設床を作ることで工程数が少なくシンプルなものとなる。
【００２４】
請求項３記載の本発明は、ｎ＋１階の新たな床・梁を既存のｎ＋１階の床の上に構築するのに、既存のｎ＋１階の床を構台として行うことを要旨とするものである。
【００２５】
請求項３記載の本発明は、既存のｎ＋１階の床を構台として利用することで、仮設を省略して施工の合理化を図ることができる。
【発明の効果】
【００２６】
以上述べたように本発明の建築工法は、既存建物の解体と新築建物の施工を下層階より同時に行うことにより、工期短縮が可能となり、仮設物の解体・新築同時利用を図ることにより工期のコスト低減、運送量の削減による省ＣＯ２効果をもたらすことが出来、解体・新築を同時に行うことにより搬出入車両を併用することによるコスト・環境負荷の低減を図ることが可能となるものである。
【００２７】
また、解体と新築を同時に施工することにより新規建物に転用することが容易となり、廃棄物の削減に寄与することが可能となり、既存躯体の一部を利用した新築工事を行うことにより、より安定した場所での作業による安全性、及び作業の効率を向上させることが可能となるものである。
【発明を実施するための形態】
【００２８】
本発明は、第１実施形態として、既存建物を下層階から上層階に向けて順次建て替える建て替え方法の手順として第１に、
（１）既存建物の特定の２階層（ｎ階とｎ＋１階）においてジャッキ付き仮設支柱で支持し、
（２）ｎ階とｎ＋１階の柱を解体し、
（３）既存のｎ＋１階の床を所定レベルにまでジャッキダウンし、
（４）ｎ階の柱の構築並びにｎ＋１階の新たな床・梁を既存のｎ＋１階の床の上に構築し、
（５）ｎ＋１階の新たな床上にｎ＋２階を支える仮設支柱を設置し、
（６）ｎ＋１階の既存床を解体、ｎ階のジャッキ付き仮設支柱を撤去する。
（７）既存のｎ＋２階においてジャッキ付き仮設支柱で支持し、
（８）ｎ＋１階の床上にジャッキ付き仮設支柱５を設置して仮設支柱９を撤去、ｎ＋２階の柱を解体し、
以後、（３）〜（８）の工程を繰り返すものである。
【００２９】
次に、図面について本発明の実施形態を詳細に説明する。図１〜図２１は本発明の建築工法の各工程を示す説明図で、図１中、図中１は既存建物を示す。
【００３０】
図示の例は地下を拡張する場合で、そのために、図２に示すように山留２を設置し、図３に示すように掘削・杭施工３を施し、図４に示すように基礎梁４を拡張する。
【００３１】
以後、サイクル１とサイクル２となるが、各サイクル基本５工程であり、第１サイクルは
（１）既存建物の特定の２階層（ｎ階とｎ＋１階）においてジャッキ付き仮設支柱で支持し、
（２）ｎ階とｎ＋１階の柱を解体し、
（３）既存のｎ＋１階の床を所定レベルにまでジャッキダウンし、
（４）ｎ階の柱の構築並びにｎ＋１階の新たな床・梁を既存のｎ＋１階の床の上に構築し、
（５）ｎ＋１階の既存床を解体、ｎ階の仮設支柱を撤去する
第２サイクルは
（６）既存のｎ＋２階においてジャッキ付き仮設支柱で支持し、
（７）ｎ＋２階の柱を解体し、
（８）既存のｎ＋２階の床を所定レベルにまでジャッキダウンし、
（９）ｎ+１階の柱の構築並びにｎ＋２階の新たな床・梁を既存のｎ＋２階の床の上に構築し、
（10）ｎ＋２階の既存床を解体、ｎ+１階の仮設支柱を撤去する。
【００３２】
次に、図面について本発明の実施形態を詳細に説明する。図１〜図２１は本発明の建築工法の各工程を示す説明図で、図１中、図中１は既存建物を示す。
【００３３】
図示の例は地下を拡張する場合で、そのために、図２に示すように山留２を設置し、図３に示すように掘削・杭施工３を施し、図４に示すように基礎梁４を拡張する。
【００３４】
以後、下記フェーズにより、進行する。
フェーズ−１（仮設の設置）→フェーズ−２（既存柱を撤去）→フェーズ−３（既存床のジャッキダウン）→フェーズ−４（新柱、床の構築）→フェーズ−５（既存床解体）
【００３５】
本発明はこれらフェーズ−１〜フェーズ−５のサイクルを繰り返すものであるが、以下にフェーズ毎に図について詳細に説明する。
【００３６】
フェーズ−１として、図５に示すようにＢ１Ｆ，Ｂ２Ｆに仮設支柱（ジャッキ付き）５を設置し、フェーズ−２として、図６に示すようにＢ１Ｆ，Ｂ２Ｆの他の既存柱６を解体する。
【００３７】
フェーズ−３として、図７に示すように、旧Ｂ１Ｆ床７をジャッキダウンする。
【００３８】
フェーズ−４として、旧Ｂ１Ｆ床７を構台として新Ｂ１Ｆの床・梁８を施工し、新柱部分の既存床２を解体し、Ｂ２Ｆの新たな柱（本設）１０を同時に施工する（図８）。
【００３９】
フェーズ−５として、図９に示すように、旧Ｂ１Ｆ床７を一部解体し、仮設支柱９を追加設置する。新床（新Ｂ１Ｆの床・梁８）経由で上部荷重を支持する。
【００４０】
ここで２回目のフェーズサイクルになるが、フェーズ−１として、図１０に示すように、旧Ｂ１Ｆ床７の残部とジャッキ付き仮設支柱５を撤去し、Ｂ２Ｆの仮設支柱（ジャッキ付き）５を１Ｆに盛替える。
【００４１】
フェーズ−２として、Ｂ１Ｆの床にジャッキ付き仮設支柱５を設置し、仮設支柱９を撤去、１Ｆの柱を撤去する（図１１）。 フェーズ−３として、旧１Ｆ床１７をジャッキダウン（図１２）する。
【００４２】
フェーズ−４として、旧１Ｆ床１７を構台として新１Ｆの床・梁１８を施工し、新柱部分の既存床を解体し、Ｂ１Ｆの新たな柱（本設）１０を同時に施工する（図１３）。
【００４３】
フェーズ−５として、旧１Ｆ床１７を一部解体し、仮設支柱９を追加設置する。新床（新１Ｆの床・梁１８）経由で上部荷重を支持する。
【００４４】
ここで３回目のフェーズサイクルになるが、フェーズ−１として、図１５に示すように、旧１Ｆ床１７の残部とジャッキ付き仮設支柱５を撤去し、Ｂ１Ｆの仮設支柱（ジャッキ付き）５を２Ｆに盛替える。
【００４５】
フェーズ−２として、１Ｆのジャッキ付き仮設支柱５を設置して、仮設支柱９を撤去し、２Ｆの柱を撤去し（図１６）、フェーズ−３として、旧２Ｆ床２７をジャッキダウンする（図１７）。
【００４６】
フェーズ−４として、旧２Ｆ床２７を構台として新２Ｆの床・梁２８を施工し、新柱部分の既存床を解体し、１Ｆの新たな柱（本設）１０を同時に施工する（図１８）。
【００４７】
フェーズ−５として、図１９に示すように、旧２Ｆ床２７を一部解体し、仮設支柱９を追加設置する。新２Ｆ床（新２Ｆの床・梁２８）経由で上部荷重を支持する。
【００４８】
４回目のフェーズサイクルとして、図２０に示すように、フェーズ−１として旧２Ｆ床２７の残部と仮設支柱９を撤去し、１Ｆの仮設支柱（ジャッキ付き）５を３Ｆに盛替える。
【００４９】
フェーズ−２として、２Ｆの支柱移設、３Ｆの柱を撤去する。（図２１）
【００５０】
以後、前記と同様にフェーズ−３〜フェーズ−５のサイクルを繰り返して既存建物１を総て新築の建物に置き換える。
【００５１】
次に本発明の第２実施形態を説明する。第２実施形態として、本発明は、既存建物を下層階から上層階に向けて順次建て替える建て替え方法の手順として
（１）既存建物の特定の２階層（ｎ階とｎ＋１階）において（ジャッキ付き）仮設支柱で支持し、
（２）ｎ階とｎ＋１階の柱を解体し、
（３）ｎ＋１階の新たな床梁を既存のｎ＋１階の床の上に構築し、
（４）ｎ＋１階の新たな床・梁を支えるジャッキ付き仮設支柱をｎ階上に設置し、
（５）既存のｎ＋１階の床を解体し、
（６）新設のｎ＋１階の床上にジャッキ付き仮設支柱を設置し、既存のｎ＋１階の床で支持された仮設支柱を撤去し、
（７）既存のｎ＋２階において仮設柱で支持し、
（８）新設のｎ＋１階の床を所定レベルにまでジャッキダウンし、
（９）ｎ階の柱を構築し、
（１０）ｎ階の仮設柱を撤去する。
以後、（３）〜（１０）の工程を繰り返すものである。
【００５２】
この第２実施形態においても、図１〜図４までは前記第１実施形態と同じであり、図２に示すように山留２を設置し、図３に示すように掘削・杭施工３を施し、図４に示すように基礎梁４を拡張する。
【００５３】
図２２に示すようにＢ１Ｆ，Ｂ２Ｆに仮設支柱９を設置し、図２３に示すようにＢ１Ｆ，Ｂ２Ｆの他の既存柱６を解体する。
【００５４】
以後、下記フェーズにより、進行する。
フェーズ−１（新床の施工）→フェーズ−２（旧床の解体）→フェーズ−３−１（支持の切替１）→フェーズ−３−２（支持の切替２）→フェーズ−４（新床のジャッキダウン）→フェーズ−５（柱の打設）、フェーズ−６（仮設の撤去）
【００５５】
本発明はこれらフェーズ−１〜フェーズ−６のサイクルを繰り返すものであるが、以下にフェーズ毎に図について詳細に説明する。
【００５６】
フェーズ−１（新床の施工）としては、旧Ｂ１Ｆ床７を構台として新ＢｌＦの床・梁８を施工する（図２４）。図中１１は床・梁８の仮支持のための仮設支柱（ジャッキ付き）である。
【００５７】
フェーズ−２（旧床の解体）としては、旧ＢＩＦ床７を解体する（図２５）。
【００５８】
フェーズ−３−１（支持の切替１）としては、仮設支柱（ジャッキ付き）１１をＢ１Ｆ，Ｂ２Ｆに追加設置し、今までの仮設支柱９の支持からこの仮設支柱１１の支持に切り替えることで旧Ｂ１Ｆ床残部経由から新Ｂ１Ｆ床経由で上部荷重を支持する（図２６）。
【００５９】
フェーズ−３−２（支持の切替２）として、旧Ｂ１Ｆ残部と仮設支柱９を撤去し、仮設支柱９を１Ｆに盛替える（図２７）。
【００６０】
フェーズ−４（新床のジャッキダウン）としては、Ｂ２Ｆにおける仮設支柱（ジャッキ付き）１１のジヤッキを縮小し、Ｂ１Ｆにおける仮設支柱（ジャッキ付き）１１のジヤッキを伸長して新Ｂ１Ｆをジャッキダウンする（図２８）。
【００６１】
フェーズ−５（柱の打設）としては、Ｂ２Ｆの柱（本設）１０を打設する（図２９）。
【００６２】
フェーズ−６（仮設の撤去）としては、Ｂ２Ｆの不要な仮設支柱（ジャッキ付き）１１を撤去し、１Ｆの既存柱１２を撤去する（図３０）。仮設支柱９をＢ１Ｆに追加設置する。
【００６３】
次にフェーズ−１〜フェーズ−６の第２サイクルとなり、旧１Ｆ床１７を構台として新１Ｆの床・梁１８を施工し（図３１）、旧１Ｆ床１７を解体する（図３２）。仮設支柱（ジャッキ付き）１９を追加設置し、旧１Ｆ床残部経由から新１Ｆ床経由で上部荷重を支持する（図３３）。
【００６４】
旧１Ｆ残部と支柱を撤去し、支柱を２Ｆに盛替える（図３４）。新１Ｆをジャッキダウンする（図３５）。Ｂ１Ｆの柱（本設）２１を打設する（図３６）。
【００６５】
Ｂ１Ｆの不要な支柱を撤去し、２Ｆの柱を撤去する（図３７）。
【００６６】
次にフェーズ−１〜フェーズ−６の第３サイクルとなり、旧２Ｆ床２７を構台として新２Ｆの床・梁２８を施工し（図３８）、旧２Ｆ床２７を解体する（図３９）。仮設支柱を追加設置し、旧２Ｆ床残部経由から新２Ｆ床経由で上部荷重を支持する（図４０）。
【００６７】
旧２Ｆ残部と支柱を撤去し、支柱を３Ｆに盛替える（図４１）。新２Ｆをジャッキダウンする（図４２）。１Ｆの柱（本設）２２を打設する（図４３）。
【００６８】
１Ｆの不要な支柱を撤去し、３Ｆの柱を撤去する（図４４）。
【００６９】
以後、フェーズ−１〜フェーズ−６のサイクルを繰り返して既存建物１を総て新築の建物に置き換える。
【００７０】
なお、前記第１実施形態、第２実施形態ともに、既存建物に比べ新築建物を基礎部分から拡幅した例を示したが、本発明では必ずしもその必要はなく、既存建物と同サイズ若しくは縮小させた新築建物を構築する際も適用可能である。
【００７１】
また、既存建物全体の更新以外にも、部分的な増改築やリニューアルにおいても適用可能である。
【００７２】
前記いずれの場合においても、階数や階高については適宜適用可能である。
【図面の簡単な説明】
【００７３】
【図１】本発明の建築工法建築工法の実施形態を示す第１工程の説明図である。
【図２】本発明の建築工法建築工法の実施形態を示す第２工程の説明図である。
【図３】本発明の建築工法建築工法の実施形態を示す第３工程の説明図である。
【図４】本発明の建築工法建築工法の実施形態を示す第４工程の説明図である。
【図５】本発明の建築工法建築工法の第１実施形態を示す第５工程の説明図である。
【図６】本発明の建築工法建築工法の第１実施形態を示す第６工程の説明図である。
【図７】本発明の建築工法建築工法の第１実施形態を示す第７工程の説明図である。
【図８】本発明の建築工法建築工法の第１実施形態を示す第８工程の説明図である。
【図９】本発明の建築工法建築工法の第１実施形態を示す第９工程の説明図である。
【図１０】本発明の建築工法建築工法の第１実施形態を示す第１０工程の説明図である。
【図１１】本発明の建築工法建築工法の第１実施形態を示す第１１工程の説明図である。
【図１２】本発明の建築工法建築工法の第１実施形態を示す第１２工程の説明図である。
【図１３】本発明の建築工法建築工法の第１実施形態を示す第１３工程の説明図である。
【図１４】本発明の建築工法建築工法の第１実施形態を示す第１４工程の説明図である。
【図１５】本発明の建築工法建築工法の第１実施形態を示す第１５工程の説明図である。
【図１６】本発明の建築工法建築工法の第１実施形態を示す第１６工程の説明図である。
【図１７】本発明の建築工法建築工法の第１実施形態を示す第１７工程の説明図である。
【図１８】本発明の建築工法建築工法の第１実施形態を示す第１８工程の説明図である。
【図１９】本発明の建築工法建築工法の第１実施形態を示す第１９工程の説明図である。
【図２０】本発明の建築工法建築工法の第１実施形態を示す第２０工程の説明図である。
【図２１】本発明の建築工法建築工法の第１実施形態を示す第２１工程の説明図である。
【図２２】本発明の建築工法建築工法の第２実施形態を示す第５工程の説明図である。
【図２３】本発明の建築工法建築工法の第２実施形態を示す第６工程の説明図である。
【図２４】本発明の建築工法建築工法の第２実施形態を示す第７工程の説明図である。
【図２５】本発明の建築工法建築工法の第２実施形態を示す第８工程の説明図である。
【図２６】本発明の建築工法建築工法の第２実施形態を示す第９工程の説明図である。
【図２７】本発明の建築工法建築工法の第２実施形態を示す第１０工程の説明図である。
【図２８】本発明の建築工法建築工法の第２実施形態を示す第１１工程の説明図である。
【図２９】本発明の建築工法建築工法の第２実施形態を示す第１２工程の説明図である。
【図３０】本発明の建築工法建築工法の第２実施形態を示す第１３工程の説明図である。
【図３１】本発明の建築工法建築工法の第２実施形態を示す第１４工程の説明図である。
【図３２】本発明の建築工法建築工法の第２実施形態を示す第１５工程の説明図である。
【図３３】本発明の建築工法建築工法の第２実施形態を示す第１６工程の説明図である。
【図３４】本発明の建築工法建築工法の第２実施形態を示す第１７工程の説明図である。
【図３５】本発明の建築工法建築工法の第２実施形態を示す第１８工程の説明図である。
【図３６】本発明の建築工法建築工法の第２実施形態を示す第１９工程の説明図である。
【図３７】本発明の建築工法建築工法の第２実施形態を示す第２０工程の説明図である。
【図３８】本発明の建築工法建築工法の第２実施形態を示す第２１工程の説明図である。
【図３９】本発明の建築工法建築工法の第２実施形態を示す第２２工程の説明図である。
【図４０】本発明の建築工法建築工法の第２実施形態を示す第２３工程の説明図である。
【図４１】本発明の建築工法建築工法の第２実施形態を示す第２４工程の説明図である。
【図４２】本発明の建築工法建築工法の第２実施形態を示す第２５工程の説明図である。
【図４３】本発明の建築工法建築工法の第２実施形態を示す第２６工程の説明図である。
【図４４】本発明の建築工法建築工法の第２実施形態を示す第２７工程の説明図である。
【符号の説明】
【００７４】
１…既存建物                            ２…山留
３…掘削・杭施工                        ４…基礎梁
５…仮設支柱（ジャッキ付き）            ６…既存柱
７…旧Ｂ１Ｆ床                          ８…新ＢｌＦの床・梁
９…仮設支柱                            １０…柱（本設）
１１…仮設支柱（ジャッキ付き）＝５      １２…既存柱
１７…旧１Ｆ床                          １８…新１Ｆの床・梁
１９…仮設支柱（ジャッキ付き）＝５，１１
２１…柱（本設）                        ２２…柱（本設）
２７…旧２Ｆ床
２８…新２Ｆの床・梁
【図１】
0006506085.tif 000002
【図２】
0006506085.tif 000003
【図３】
0006506085.tif 000004
【図４】
0006506085.tif 000005
【図５】
0006506085.tif 000006
【図６】
0006506085.tif 000007
【図７】
0006506085.tif 000008
【図８】
0006506085.tif 000009
【図９】
0006506085.tif 000010
【図１０】
0006506085.tif 000011
【図１１】
0006506085.tif 000012
【図１２】
0006506085.tif 000013
【図１３】
0006506085.tif 000014
【図１４】
0006506085.tif 000015
【図１５】
0006506085.tif 000016
【図１６】
0006506085.tif 000017
【図１７】
0006506085.tif 000018
【図１８】
0006506085.tif 000019
【図１９】
0006506085.tif 000020
【図２０】
0006506085.tif 000021
【図２１】
0006506085.tif 000022
【図２２】
0006506085.tif 000023
【図２３】
0006506085.tif 000024
【図２４】
0006506085.tif 000025
【図２５】
0006506085.tif 000026
【図２６】
0006506085.tif 000027
【図２７】
0006506085.tif 000028
【図２８】
0006506085.tif 000029
【図２９】
0006506085.tif 000030
【図３０】
0006506085.tif 000031
【図３１】
0006506085.tif 000032
【図３２】
0006506085.tif 000033
【図３３】
0006506085.tif 000034
【図３４】
0006506085.tif 000035
【図３５】
0006506085.tif 000036
【図３６】
0006506085.tif 000037
【図３７】
0006506085.tif 000038
【図３８】
0006506085.tif 000039
【図３９】
0006506085.tif 000040
【図４０】
0006506085.tif 000041
【図４１】
0006506085.tif 000042
【図４２】
0006506085.tif 000043
【図４３】
0006506085.tif 000044
【図４４】
0006506085.tif 000045